(57)【要約】  ＢＤスポットの中に確実に印刷ドットを存在させ、その総面積比が安定しているかつ、透過率を調整することのできる擬似変更状態パターンを生成する技術を提供。  コンピュータ１００により、ディスク上に想定される予め設定しておいた広さの領域に、予め設定しておいた個数のドット画像を描画させる処理部１０２ａと、ドット画像が分布していない部分を検索する処理部１０２ｂと、索出されたドット画像が分布していない部分に、ドット画像を追加描画する処理部１０２ｃとを行い、印刷用分布パターンを生成する。この分布パターン２００により、印刷機１４０の印刷用原盤を形成して、ディスク１０の表面部１１に、擬似変更状態パターンの一種である擬似指紋パターン２０ａを印刷することにより、検査用ディスク１０を形成する。
2008062628.tif 000002
【特許請求の範囲】
【請求項１】
光ディスクに光ビームを投射して記録の読み取りを行う光ディスク再生装置において用いられる検査用ディスクにおいて、
表面部に、光ディスクの光学的性質を変更する状態を模擬するためのパターンが設けられた部分を有し、
前記パターンは、多数のドット群が分布して形成され、
前記ドット群は、
前記光ディスク再生装置に装着された状態で、前記パターンが設けられた部分の任意の位置に、前記光ビームが照射された際に、前記表面部に形成される光スポットの内に、前記ドット群の一部である複数個のドットが位置する分布パターンであること
を特徴とする検査用ディスク。
【請求項２】
請求項１に記載の検査用ディスクにおいて、前記パターンが、指紋を模擬するためのパターンである擬似指紋パターンであること
を特徴とする検査用ディスク。
【請求項３】
請求項２に記載の検査用ディスクにおいて、
前記擬似指紋パターンを構成するドット群の一部は、ランダムに配置されていること
を特徴とする検査用ディスク。
【請求項４】
請求項３に記載の検査用ディスクにおいて、
前記擬似指紋パターンを構成するドット群の他の一部は、前記ランダムに配置されているドットの間に配置されることを特徴とする検査用ディスク。
【請求項５】
請求項１に記載の検査用ディスクにおいて、前記パターンが、液体による汚れを模擬するためのパターンである透過率調整パターンであること
を特徴とする検査用ディスク。
【請求項６】
請求項５に記載の検査用ディスクにおいて、
前記透過率調整パターンを構成するドット群の一部は、ランダムに配置されていること
を特徴とする検査用ディスク。
【請求項７】
請求項６に記載の検査用ディスクにおいて、
前記透過率調整パターンを構成するドット群の他の一部は、前記ランダムに配置されているドットの間に配置されることを特徴とする検査用ディスク。
【請求項８】
請求項７に記載の検査用ディスクにおいて、
前記透過率調整パターンを構成するドット群の密度を調節し、反射光の透過率を調節することを特徴とする検査用ディスク。
【請求項９】
請求項１から９のいずれか一項に記載の検査用ディスクにおいて、
検査の対象となる光ディスクは、ブルーレイディスクであることを特徴とする検査用ディスク。
【請求項１０】
請求項１から９のいずれか一項に記載の検査用ディスクにおいて、
前記パターンのドット群は、印刷により形成されること
を特徴とする検査用ディスク。
【請求項１１】
光ディスクに光ビームを投射して記録の読み取りを行う光ディスク再生装置に装填されて用いられ、光ディスクの表面部に生じた光学的性質を変更する状態による、光ディスクに対する再生性能を検査するための検査用ディスクに、前記変更状態を模擬するためのパターンを、コンピュータにより生成する方法において、
前記コンピュータのメモリ上に、前記光ディスク上に想定される予め設定された広さの領域を定義し、該領域に、予め設定しておいた個数のドット画像を描画させる処理を行い、
前記メモリ上に描画されているドット画像の位置に基づいて、ドット画像が分布していない部分を検索する処理を行い、
前記検索処理において索出されたドット画像が分布していない部分に、ドット画像を追加描画する処理と、を行い、
前記ドット画像により形成される前記パターンを、印刷用パターンデータとして出力すること
を特徴とするパターン生成方法。
【請求項１２】
請求項１１に記載のパターン生成方法において、前記パターンが、指紋を模擬するためのパターンである擬似指紋パターンであることを特徴とするパターン生成方法。
【請求項１３】
請求項１２に記載のパターン生成方法において、
前記擬似指紋パターンは、多数のドット画像群が分布して形成され、
前記ドット画像群は、
前記光ディスク再生装置に検査用ディスクが装着された状態で、前記擬似指紋パターンが設けられた部分の任意の位置に、前記光ビームが照射された際に、前記表面部に形成される光スポットの内に、前記ドット群の一部である複数個のドット画像が位置する分布ターンであること
を特徴とするパターン生成方法。
【請求項１４】
請求項１３に記載のパターン生成方法において、
前記擬似指紋パターンを構成するドット群の他の一部は、前記ランダムに配置されているドットの間に配置されることを特徴とするパターン生成方法。
【請求項１５】
請求項１１に記載のパターン生成方法において、前記パターンが、液体による汚れを模擬するためのパターンである透過率調整パターンであることを特徴とするパターン生成方法。
【請求項１６】
請求項１５に記載のパターン生成方法において、
前記透過率調整パターンは、多数のドット画像群が分布して形成され、
前記ドット画像群は、
前記光ディスク再生装置に検査用ディスクが装着された状態で、前記透過率調整パターンが設けられた部分の任意の位置に、前記光ビームが照射された際に、前記表面部に形成される光スポットの内に、前記ドット群の一部である複数個のドット画像が位置する分布ターンであること
を特徴とするパターン生成方法。
【請求項１７】
請求項１６に記載のパターン生成方法において、
前記透過率調整パターンを構成するドット群の他の一部は、前記ランダムに配置されているドットの間に配置されることを特徴とするパターン生成方法。
【請求項１８】
請求項１７に記載のパターン生成方法において、
前記透過率調整パターンを構成するドット群の密度を調節し、反射光の透過率を調節することを特徴とする擬似変更状態パターン生成方法。
【請求項１９】
請求項１１から１８のいずれか一項に記載の擬似変更状態パターン生成方法において、
検査の対象となる光ディスクは、ブルーレイディスクであることを特徴とするパターン生成方法。
【請求項２０】
光ディスクに光ビームを投射して記録の読み取りを行う光ディスク再生装置に装填されて用いられ、光ディスクの表面部に生じた光学的性質を変更する状態による、光ディスクに対する再生性能を検査するための検査用ディスクに、前記変更状態を模擬するためのパターンを、コンピュータにより生成するシステムにおいて、
前記コンピュータのメモリ上に、前記光ディスク上に想定される予め設定された広さの領域を定義し、該領域に、予め設定しておいた個数のドット画像を描画させる処理を行うドット画像描画手段と、
前記メモリ上に描画されているドット画像の位置に基づいて、ドット画像が分布していない部分を検索する処理を行う空き検索処理手段と、
前記検索処理において索出されたドット画像が分布していない部分に、ドット画像を追加描画する処理を行うドット画像追加描画手段と、
前記ドット画像により形成される前記パターンを、印刷用パターンデータとして出力する処理を行う出力処理手段と、を有すること
を特徴とするパターン生成システム。
【発明の詳細な説明】
【技術分野】
【０００１】
本発明は、光ディスクの表面部に生じた光学的性質を変更する状態に対する、再生装置の再生性能を検査するための、擬似変更状態パターンを生成する技術に関する。
【背景技術】
【０００２】
光ディスク再生装置は、光ディスクに光ビームを照射して、当該ディスクからの反射光の信号を読み取って情報の再生を行う。ところが、光ディスクの記録面には指紋などの汚れが付着していることがある。その場合を想定して、光ディスク再生装置の読み取りがどこまで可能であるかを予め調べておく必要ある。そのためには、光ディスク再生装置は、指紋などを再現した検査用ディスクを用いて、その検査用ディスクからの信号に基づいて再生能力の検査が行われる。【０００３】
特許文献１に、コンパクトディスクにおいて、格子状のドットパターン（ドット径が７５μｍ、半径方向のピッチが２５０μｍ、円周方向のピッチが１２５μｍ）で実指紋を再現した検査用ディスクについて記載されている。【０００４】
また、特許文献２には、光ディスクの記録面に、遮光部と非遮光部とを形成して擬似指紋パターンを形成した光記憶検査用ディスクについて記載されている。【０００５】
また、光ディスクの記録面や読み取り面などの表面部には、血液、唾液などの液体による汚れが付着していることがある。血液、唾液などの液体による汚れが光ディスクの記録面に付着する場合、表面部に付着した液体の厚さ、濃度は一定でなく、むらができる。むらができると、光ディスクからの反射光が完全に遮断される場合や、反射光がある程度得られる（半透過する）場合がある。【０００６】
ディスクの表面部に液体などの汚れが付着することにより、光ディスクからの反射光にむらがある場合に対して、特許文献３および特許文献４には、コンパクトディスクにおいて半透明パターン（半透明バンド）を、光ディスクの読み取り面に印刷することで、液体などの汚れが光ディスクの読み取り面に付着した状態の再現を行う技術が開示されている。半透明パターンは、半透明インクを読み取り面に印刷されることで形成される。反射光のむらの再現は、半透明インクの透過率の調整、つまり、半透明インクの濃度を調整することで行っている。【０００７】
【特許文献１】特開平１１―３１２３４１号公報
【特許文献２】特開平１０−２４１２０８号公報
【特許文献３】特許２８９２０４１号公報
【特許文献４】特開２００４−１３９５２号公報  ところで、一方、近年、光ディスク記憶媒体の大容量化が盛んに行われており、ブルーレイディスク（Ｂｌｕ−ｒａｙ Ｄｉｓｃ（登録商標）、以下、ＢＤと略記する）も大容量記憶媒体の一つである。今後、大容量光ディスクが普及していくことを考えると、ＢＤにおいても、実指紋や血液、唾液などの液体の汚れを再現した検査用ディスクの開発は重要である。
【０００８】
コンパクトディスクにおいて用いられている擬似指紋パターンは、ＤＶＤ（Ｄｉｇｉｔａｌ Ｖｅｒｓａｔｉｌｅ Ｄｉｓｃ、以下、ＤＶＤと略記する）にも適応できる。ＤＶＤの場合、格子状のパターンの印刷ドットにＤＶＤのスポットがどの位置に移動したとしても、スポット径の面積に対するドット印刷部分の占める総面積比は安定している。その為、格子状のパターンによって実指紋の再現は可能である。【０００９】
また、コンパクトディスクにおいて用いられている半透明パターンも、ＤＶＤにも対応できる。ＤＶＤに半透明パターン適応した場合も、半透明インクの濃度を調節することにより半透明パターンの透過率の調整を行うことができる。その為、半透明インクから形成された半透明パターンによって、血液、唾液などの、液体の汚れの再現は可能である。
【発明の開示】
【発明が解決しようとする課題】
【００１０】
しかし、ＢＤの場合は、従来の記憶媒体（例えば、ＤＶＤ）の場合と比べて、スポット径がかなり小さくなり、約４分の１である。そのため、擬似指紋パターンを形成するために、ＤＶＤの印刷パターンをそのまま利用すると、レーザスポットの位置によっては、印刷ドットの影響を全く受けない部分と、印刷ドットの影響が大きすぎる部分とが存在することになり、ＤＶＤの印刷パターンでは、ＢＤにおける実指紋の再現がうまくできない。【００１１】
そこで、まず、ＢＤのスポット径が小さくなることに合わせて、印刷ドット径および格子間隔を狭めている。その場合、ＢＤのスポット径内に、複数個の印刷ドットが見込めることを想定すると、印刷ドット径が１６μｍ程度の大きさとなる。ところが、格子状の配置であるため、スポットの中心位置が、格子の上にあるか、格子の間にあるかによって、スポット径の中に含まれる印刷ドット数が大きく異なる。そのため、スポット径内に含まれる印刷ドットの総面積のスポット面積に対する割合、すなわち総面積比が一様でなくなる。その結果、スポットがディスク面上を相対移動した際に、移動位置によって総面積比が大きく変化するため、光ディスクからの反射光または反射光から得られるＲＦ（Ｒａｄｉｏ Ｆｒｅｑｕｅｎｃｙ）信号のレベルが変動する。【００１２】
これらの問題を解決するためには、ＢＤのスポットの中に見込まれる印刷ドットの総面積比を安定にさせるようにする必要がある。ＢＤ用の検査用ディスクに、新たな擬似指紋パターンを生成することが求められる。【００１３】
以上は、指紋についての検討であるが、指紋以外にも、例えば、血液、唾液等の飛沫痕等の、光ディスクの表面部に生じた光学的性質を変更する状態について、同様に生じる問題でもある。【００１４】
一方、血液、唾液などの液体の汚れが光ディスクの表面部に付着した状態について検討する。血液、唾液などの液体の汚れに対する半透明パターンを形成するために、従来、コンパクトディスクおよびＤＶＤについて汚れ付着を検査する場合に用いられていた半透明インクを、ＢＤにおいても用いた場合、インクの濃度およびインクの色（例えば、黒、赤など）のいずれを変化させても、反射光から得られるＲＦ信号が全く得られなかった。つまり、ＢＤに用いられる波長領域では、従来用いられていた半透明インクは透過せず、血液、唾液などの液体の汚れが付着した場合を再現することができない。【００１５】
そのため、光ディスクの表面部に血液、唾液などの液体の汚れが付着した状態を再現するためには、半透明インクの濃度、または、インクの色を調節する以外の新たな方法で透過率調整を行うことのできる半透明パターンを生成することが求められる。【００１６】
以上の問題は、ＢＤに限らず、ＢＤスポットと同様の微小光スポットを用いる場合に生じる問題でもある。【００１７】
本発明は、ＢＤスポットと同等の光スポットの中に印刷ドットを存在させ、その総面積比が安定しており、透過率調整が行うことができる擬似変更状態パターンを生成する技術を提供することを目的とする。
【課題を解決するための手段】
【００１８】
本発明では、光ディスクに光ビームを投射して記録の読み取りを行う光ディスク再生装置において用いられる検査用ディスクにおいて、
表面部に、光ディスクの光学的性質を変更する状態を模擬するためのパターンが設けられた部分を有し、
前記パターンは、多数のドット群が分布して形成され、
前記ドット群は、
前記光ディスク再生装置に装着された状態で、前記パターンが設けられた部分の任意の位置に、前記光ビームが照射された際に、前記表面部に形成される光スポットの内に、前記ドット群の一部である複数個のドットが位置する分布パターンであること
を特徴とする。
【発明の効果】
【００１９】
本発明によれば、ＢＤスポット等の光スポット内に印刷ドットを存在させ、その総面積比が安定している分布パターンを生成することができる。この分布パターンに基づいて擬似変更状態パターンを生成した検査用ディスクを生成することができる。このようにして形成された印刷用ディスクの表面部には、擬似変更状態パターンが印刷された状態となる。【００２０】
また、この印刷ドットの密度や、印刷ドットの領域の形を変化させることにより、分布パターンの透過率を調整することができる。これにより、様々な透過率の状態で光ディスクに付着する場合や、様々な領域に付着する血液、唾液などの液体の汚れに対しても、再現することができる。
【図面の簡単な説明】
【００２１】
【図１】図１は、本発明の第一実施形態に係る検査用ディスクの一実施例を示す平面図である。
【図２】図２は、光ディスク再生装置のブロック図ある。
【図３】図３は、本発明の第一実施形態における分布パターンである。
【図４】図４は、ドット画像パターン生成システムの一例である。
【図５】図５は、本発明の一実施形態に係るＢＤスポット径と印刷ドットの関係を説明する図である。
【図６】図６は、本発明の一実施形態に係るＢＤスポット径と印刷ドットの関係を説明する図である。
【図７】図７は、ＢＤに実指紋を付着させた場合のＲＦ信号波形図である。
【図８】図８は、ＢＤに擬似指紋パターンを印刷した場合のＲＦ信号波形図である。
【図９】図９は、ＢＤにＤＶＤ用格子印刷ドットパターンを印刷した場合のＲＦ信号波形図である。
【図１０】図１０は、本発明の第二実施形態における分布パターンである。
【図１１】図１１は、本発明の第二実施形態における分布パターンである。
【図１２】図１２は、本発明の第二実施形態における分布パターンである。
【図１３】図１３は、本発明の第二実施形態における分布パターンである。
【図１４】図１４は、本発明の第二実施形態における分布パターンである。
【図１５】図１５は、本発明の第二実施形態における分布パターンである。
【図１６】図１６は、本発明の第二実施形態に係る検査用ディスクの一実施例を示す平面図である。
【図１７】図１７は、ＢＤに実際の唾液を付着させた場合のＲＦ信号波形図である。
【図１８】図１８は、ＢＤに透過率調整パターンを印刷した場合のＲＦ信号波形図である。
【符号の説明】
【００２２】
１０…検査用ディスク、２０ａ、２０ｂ…擬似指紋パターン、２００、４００、５００、６００、７００、８００、９００…分布パターン、１００…コンピュータ本体、１０１…ＣＰＵ、１０２ａ…ドット画像描画処理部、１０２ｂ…空き検索処理部、１０２ｃ…ドット画像追加描画処理部、１０２ｄ…出力処理部、１１０…入力装置、１２０…表示装置、１３０…印刷原盤製造装置、１４０…印刷機、２１０…印刷ドット、３００…ＤＶＤ用印刷ドット、４０ａ、４０ｂ…透過率調整パターン
【発明を実施するための最良の形態】
【００２３】
以下、本発明の第一実施形態について、図面を参照して説明する。なお、以下の第一実施形態においては、表面部に、光ディスクの光学的性質を変更する状態を模擬するためのパターン（擬似変更状態パターン）として、指紋を擬似する擬似指紋パターンを例として説明する。【００２４】
図１は本発明の第一実施形態に係る検査用ディスクの一実施例を示す平面図である。図１に示す検査用ディスク１０は、透明基板、反射層、記録層、保護膜等の複数の層が積層されて形成される。この検査用ディスク１０は、中心部にセンター孔１２を有している。【００２５】
検査用ディスク１０の表面部１１には、擬似指紋パターン２０ａが印刷機によって印刷されている。この擬似指紋パターン２０ａの長辺は円周方向に沿っている。しかし、長辺方向が半径方向に長くなる状態に印刷してもよい。図１に示す擬似指紋パターン２０ｂはその一例である。図１においては、同じディスク中に２種類の擬似指紋パターン２０ａ、２０ｂを併存させているが、いずれか一方でもよい。【００２６】
この検査用ディスク１０は、図２の光ディスク再生装置の所定の再生位置に装着され使用される。【００２７】
図２は、光ディスク再生装置のブロック図ある。光ディスク再生装置は、光学ピックアップ３０と、スピンドルモータ３１と、レーザダイオード（ＬＤ）駆動回路３２と、アクチュエータ制御回路および球面収差回路３３と、装着された光ディスクからの信号を検出する信号処理回路３４と、を有して構成される。信号処理回路３４は、ＲＦ信号およびサーボ誤差信号を出力する。この光ディスク再生装置は、通常は、光ディスクを装着して、再生する。出荷時に、検査用ディスク１０を装着して、付着指紋に対する読み取り性能の試験を行う。【００２８】
検査用ディスク１０からの反射光は、光ピックアップ３０により受光される。光ピックアップ３０は、受光した反射光を光電変換し、電気信号であるＲＦ信号として出力する。検査用ディスク１０からのＲＦ信号を確認することにより、指紋による再生信号への影響の検査を行う。【００２９】
図１の検査用ディスク１０の表面部１１に印刷される擬似指紋パターン２０ａは、印刷機１４０（図４参照）による印刷によって印刷される。印刷機１４０には、擬似指紋パターン２０ａを形成するための分布パターン２００を有する印刷原盤が設けられている。図３にその一例を示す。図３に示す、擬似指紋パターン２０ａ対応の分布パターン２００は、以下の手順で作製される。【００３０】
図３に示す分布パターン２００は、検査用ディスク１０上に想定される予め設定しておいた広さの領域に、予め設定しておいた個数のドット画像を描画し、その後、ドット画像が分布していない部分を検索し、さらに、ドット画像を描画することによって、ＢＤスポット内に印刷ドットを存在させることにより生成される。【００３１】
図４に、本実施形態に用いられるドット画像パターン生成システムの一例を示す。このシステムは、コンピュータ本体１００と、入力装置１１０と、表示装置１２０とを有する。このコンピュータ本体１００には、例えば、ネットワークを介して、印刷原盤製造装置１３０が接続される。【００３２】
図４に示すコンピュータ本体１００は、中央演算処理ユニット（ＣＰＵ）１０１と、記憶装置１０２とを有する。記憶装置１０２には、ＣＰＵ１０１が実行するプログラムが格納される。図４には、そのうち、本実施形態に関係するソフトウェアがハードウェアすなわちＣＰＵ１０１と共同して構築される具体的手段である機能を示している。この機能としては、ディスク上に想定される予め設定しておいた広さの領域に、予め設定しておいた個数のドット画像を描画させる処理（ドット画像描画処理部１０２ａ）と、ドット画像が分布していない部分を検索する処理（空き検索処理部１０２ｂ）と、索出されたドット画像が分布していない部分に、ドット画像を追加描画する処理（ドット画像追加描画処理部１０２ｃ）とを行い、印刷用分布パターン２００として出力する（出力処理部１０２ｄ）。【００３３】
生成された分布パターン２００のデータは、印刷機１４０の印刷原盤を製造する印刷原盤製造装置１３０に、ネットワークを介して送られる。この印刷原盤製造装置１３０では、送られた分布パターン２００に基づいて、印刷原盤を製造する。製造された印刷原盤は、印刷機１４０に取り付けられ、光ディスク表面対する印刷に用いられる。【００３４】
印刷機１４０により、図１に示すように、検査用ディスク１０の表面部１１の一部に、前述した印刷原盤を用いて擬似指紋パターンが印刷される。この印刷されたものが、擬似指紋パターン２０ａである。【００３５】
次に、ドット画像の形成について、具体例を挙げて説明する。以下の例では、説明を明確にするため、ビットマップ上の画素として、領域およびドット画像パターンの描画を行う例について説明する。もちろん、本発明は、これに限定されない。【００３６】
まず、ドット描画処理部１０２ａにおいて、例えば、ディスク上に想定される予め設定しておいた広さの領域として、縦３ｍｍ×横１０ｍｍの範囲を設定する。次に、設定した範囲内に、７２０個のドット画像をランダムに描画する。ただし、一つのドット画像の四方１００μｍ以内には他のドット画像は存在させない。このため、ドット画像描画処理部１０２ａは、ランダムに位置を指定する機能を備えている。具体的には、乱数により、ビットマップの画素アドレスを指定することによって対処する。【００３７】
次に、空き検索処理部１０２ｂにおいて、１００μｍ四方にドット画像が分布していない空き部分をランダムに検索する。検索結果として、空き部分が存在する場合には、ドット画像追加描画処理部１０２ｃにより、その空き部分に、ドット画像を追加描画する。例えば、約１０００個描画する。【００３８】
さらに、空き検索処理部１０２ｂにより、空き検索を行う。具体的には、縦３ｍｍ×横１０ｍｍの範囲内で全てチェックする。１００μ四方にドット画像が無い部分が検出された場合、ドット画像を追加描画する。【００３９】
前述した例では、ドット画像として円ドット画像を用いている場合について説明した。しかし、本発明において用いられるドット画像パターンは、これに限られない。例えば、ドット画像を楕円、長方形、その他の非円形図形とすることができる。【００４０】
ここで、上の例では、すべて円ドット画像の例を示したが、次に楕円ドット画像と円ドット画像とを用いる場合について説明する。【００４１】
まず、ドット画像描画処理部１０２ａにおいて、例えば、ディスク上に想定される予め設定しておいた広さの領域として、縦３ｍｍ×横１０ｍｍの範囲を設定する。次に、設定した範囲内に、７２０個の楕円ドット画像をランダムに描画する。ただし、一つのドット画像の四方１００μｍ以内には他のドット画像は存在させない。このため、ドット画像描画処理部１０２ａは、ランダムに位置を指定する機能を備えている。具体的には、乱数により、ビットマップの画素アドレスを指定することによって対処する。【００４２】
なお、楕円は、６０個ずつ１５°回転させながら描画する。従って、（１２種類×６０個＝７２０個）の楕円がランダムに描画されることになる。【００４３】
次に、空き検索処理部１０２ｂにおいて、１００μ四方にドット画像が分布していない空き部分をランダムに検索する。検索結果として、空き部分が存在する場合には、ドット画像追加描画処理部１０２ｃにより、その空き部分に、円ドット画像を追加描画する。例えば、約１０００個描画する。【００４４】
さらに、空き検索処理部１０２ｂにより、空き検索を行う。具体的には、縦３ｍｍ×横１０ｍｍの範囲内で全てチェックする。１００μ四方に円ドット画像が無い部分が検出された場合、円ドット画像を追加描画する。【００４５】
このような手順で作製された分布パターン２００における、ドット印刷が施された部分と、ドット印刷が施されていない部分と、の面積比は、約１０％である。【００４６】
図５に、ＢＤのスポット径（φ＝１２８．８μｍ）と印刷ドット（φ＝２５μｍ）の関係を示す。印刷ドットは、擬似指紋パターン２０ａを構成する印刷ドット２１０ａ、２１０ｂ、…、２１０ｎが、擬似的にランダム状態として分布している。図３のような、分布パターン２００では、どの位置にＢＤスポットＳＰが当たろうと、スポット径内に見込まれる印刷ドット数が大きくは変わらない。その結果、スポット径に含まれる印刷ドットの総面積の比である総面積比は、スポット径の位置によらず同程度となる。【００４７】
ここで、図６に、前述した図５に示す印刷ドット２１０ａ、２１０ｂ、…、２１０ｎの分布例と、ＤＶＤ用格子印刷ドットパターン３００ａ、３００ｂ、…、３００ｎをドットの格子間隔を併せて縮小した分布例とを重ねて示す。両者を比較すると、格子状パターンは、印刷ドット径（φ＝１６．２５μｍ）が小さくなっている。そのため、スポット径が相対移動する際に、その中心の半径方向の位置によっては、スポット径内に見込まれる印刷ドットの数が変化することになる。そのため、印刷ドットの総面積比がスポット径の中心位置によって変化することとなり、指紋検出テストが安定して行えない。これに対して、本実施例の場合、前述したように、空き部分がないようにドット画像を、擬似的にランダムに分布させているため、スポット径の中心位置によらず、総面積比が一定に保つことが可能となる。従って、安定した指紋検出テストが可能となる。【００４８】
図７および図８に、実指紋を付着させた光ディスクから再生装置により読み取った反射光から求められたＲＦ信号波形と、同様に、擬似指紋パターン２０ａが印刷された検査用ディスクから再生装置により読み取った反射光から求められたＲＦ信号波形とを、それぞれ示す。また、比較のため、図９にＢＤにＤＶＤの印刷パターンを印刷した場合のＲＦ信号波形を示す。【００４９】
比較した結果、図８に示す、印刷ドット２０ａが分布する擬似指紋パターンについてのＲＦ信号波形は、図７に示す、実指紋のＲＦ信号波形とよく似ている。従って、この擬似指紋パターン２０ａは、実指紋を再現できていると言える。しかし、図９に示す、ＢＤにＤＶＤの印刷パターンを印刷した場合のＲＦ信号波形は、実指紋のＲＦ信号波形とは大きく異なる。【００５０】
これまで、光ディスクに実指紋が付着した状態を再現するための、ランダムドットを用いた擬似指紋パターンについて説明した。次に、本発明の第二実施形態である、光ディスクに血液、唾液などの液体の汚れが付着した状態を再現するための透過率調整パターンについて説明する。【００５１】
第二実施形態での透過率調整パターンは、擬似指紋パターンの際と同様にランダムドットパターンを用いて生成する。血液、唾液などの液体の汚れが付着することによる反射光の透過率のむらを、本実施形態では、ランダムドットの密度、および、ランダムドットの印刷ドット径の一方または両者を変化させることにより調整する。ランダムドットパターンを用いることにより、ドットの部分（インクが付着している部分）は光を遮断する。一方、ドットとドットの間の部分（インクが付着していない部分）は光を透過する。よって、単位面積当たりのドットの密度を変化させることで、透過する光の調節を行うことができる。【００５２】
図１６は透過率調整パターンを印刷した検査用ディスクの一実施例を示す平面図である。図１６（ａ）に示す検査用ディスク１０の表面部１１には、透過率調整パターン４０ａが印刷機によって印刷されている。図１６（ａ）の透過率調整パターン４０ａの長辺は円周方向に沿っている。この透過率調整パターン４０ａは図１の場合と同様に、長辺方向が半径方向に長くなる状態に印刷してもよい。図１６（ａ）に示す透過率調整パターン４０ｂはその一例である。また、図１６（ａ）においても、同じディスク中に２種類の透過率調整パターン４０ａ、４０ｂを併存させているが、いずれか一方でもよい。【００５３】
図１６（ａ）の検査用ディスク１０の表面部１１に印刷される透過率調整パターン４０ａは、擬似指紋パターンと同様に、印刷機１４０（図４）による印刷によって印刷される。印刷機１４０には、透過率調整パターン４０ａを形成するための分布パターン４００を有する印刷原盤が設けられている。図１０にその一例を示す。【００５４】
次に、図１０に示す、透過率調整パターン４０ａ対応の分布パターン４００の作成手順を説明する。【００５５】
図１０に示す分布パターン４００は、擬似指紋パターンと同様に、検査用ディスク１０上に想定される予め設定しておいた広さの領域に、予め設定しておいた個数のドット画像を描画し、その後、ドット画像が分布していない部分を検索し、さらに、ドット画像を描画することによって、ＢＤスポット内に印刷ドットを存在させることにより生成される。【００５６】
まず、ドット描画処理部１０２ａにおいて、例えば、ディスク上に想定される予め設定しておいた広さの領域として、縦３ｍｍ×横１０ｍｍの範囲を設定する。次に、設定した範囲内に、８０００個のドット画像をランダムに描画する。ただし、一つのドット画像の四方５０μｍ以内には他のドット画像は存在させない。このため、ドット画像描画処理部１０２ａは、ランダムに位置を指定する機能を備えている。具体的には、乱数により、ビットマップの画素アドレスを指定することによって対処する。【００５７】
次に、空き検索処理部１０２ｂにおいて、５０μｍ四方にドット画像が分布していない空き部分をランダムに検索する。検索結果として、空き部分が存在する場合には、ドット画像追加描画処理部１０２ｃにより、その空き部分に、ドット画像を追加描画する。例えば、２００〜３００個描画する。【００５８】
さらに、空き検索処理部１０２ｂにより、空き検索を行う。具体的には、縦３ｍｍ×横１０ｍｍの範囲内で全てチェックする。５０μｍ四方にドット画像が無い部分が検出された場合、数個のドット画像を追加描画する。【００５９】
前述した例では、透過率調整パターンにドット画像として円ドット画像を用いている場合について説明した。なお、ここで、透過率調整パターンを形成するための分布パターンに用いる円形のドット画像の直径は２０μｍとした。【００６０】
透過率調整パターンにおいても、擬似指紋パターンと同様に、用いられるドット画像パターンは、これに限られない。例えば、ドット画像を楕円、長方形、その他の非円形図形とすることができる。【００６１】
ここで、上の例では、すべて円ドット画像の例を示したが、次に楕円ドット画像と円ドット画像とを用いる場合について説明する。【００６２】
まず、ドット画像描画処理部１０２ａにおいて、例えば、ディスク上に想定される予め設定しておいた広さの領域として、縦３ｍｍ×横１０ｍｍの範囲を設定する。次に、設定した範囲内に、７２００個の楕円ドット画像をランダムに描画する。ただし、一つのドット画像の四方５０μｍ以内には他のドット画像は存在させない。このため、ドット画像描画処理部１０２ａは、ランダムに位置を指定する機能を備えている。具体的には、乱数により、ビットマップの画素アドレスを指定することによって対処する。【００６３】
なお、楕円は、６００個ずつ１５°回転させながら描画する。従って、（１２種類×６００個＝７２００個）の楕円がランダムに描画されることになる。【００６４】
次に、空き検索処理部１０２ｂにおいて、５０μｍ四方にドット画像が分布していない空き部分をランダムに検索する。検索結果として、空き部分が存在する場合には、ドット画像追加描画処理部１０２ｃにより、その空き部分に、円ドット画像を追加描画する。例えば、２００〜３００個描画する。【００６５】
さらに、空き検索処理部１０２ｂにより、空き検索を行う。具体的には、縦３ｍｍ×横１０ｍｍの範囲内で全てチェックする。５０μｍ四方に円ドット画像が無い部分が検出された場合、数個の円ドット画像を追加描画する。【００６６】
このような手順で作製された分布パターン４００における、ドット印刷が施された部分と、ドット印刷が施されていない部分と、の面積比は、約２０％である。【００６７】
血液、唾液などの液体の汚れは、様々な透過率を持った状態で光ディスクに付着するが、本実施形態の透過率調整パターンに対応する分布パターンのドットの密度を変化させることにより、再現が可能である。また、血液、唾液などの液体の汚れの付着する領域も様々である。しかし、分布パターンのドットを有する領域を変化させることにより、再現が可能である。分布パターンのドットを有する領域を変化させた場合の分布パターンの例を図１１から図１５に示す。【００６８】
図１１に示す分布パターン５００では、複数の円形および楕円形のドットを有する領域５００ａ、５００ｂ、・・・、５００ｎを有する。図１１に示す分布パターン５００は、図１０に示す分布パターンを上で説明した手順で作製した後、円形および楕円形のドットを有する領域５００ａ、５００ｂ、・・・、５００ｎを抜き出すことにより作製する。円形および楕円形のドットを有する領域の抜き出し方は、様々であり、図１２の分布パターン６００、図１３の分布パターン７００のように、抜き出す領域を図１１の複数の円形および楕円形のドットを有する領域５００ａ、５００ｂ、・・・、５００ｎよりも大きくてもよい。【００６９】
図１１〜図１３の分布パターン５００、６００、７００を有する透過率調整パターン５０ａ、６０ａ、７０ａを図１６（ｂ）のように、同じディスク中に併存させているが、いずれか一つのパターンを印刷するのでもよい。【００７０】
また、抜き出す形は、円形および楕円形に限らず、図１４、図１５に示すように、階段状の形に抜き出して、階段状の分布パターン８００、９００としてもよい。階段状の形に抜き出した分布パターン８００、９００を有する透過率調整パターン８０ａ、９０ａを図１６（ｃ）のように、長辺方向を円周方向に沿う状態で光ディスクに印刷されると、連続的に変化させて、どの範囲まで正常に再生できるのかを確認が行える。【００７１】
図１７および図１８に、唾液を付着させた光ディスクから再生装置により読み取った反射光から求められたＲＦ信号波形と、同様に、透過率調整パターン４０ａが印刷された検査用ディスクから再生装置により読み取った反射光から求められたＲＦ信号波形とを、それぞれ示す。【００７２】
図１７は、軽度、中度、重度の３つのタイプで唾液を付着させた光ディスクからのＲＦ信号波形である。軽度のタイプで唾液が付着した部分、中度のタイプで唾液が付着した部分、重度のタイプで唾液が付着した部分、から得られたＲＦ信号は、それぞれ、図１７のＡの範囲の波形、Ｂの範囲の波形、Ｃの範囲の波形に対応する。【００７３】
一方、透過率調整パターン４０ａが印刷された検査用ディスクからのＲＦ信号波形である図１８のＤの範囲の波形は、図１７のＡの範囲の波形によく似ている。【００７４】
従って、この透過率調整パターン４０ａは、唾液が付着した光ディスクの状態を再現できていると言える。
【図１】
2008062628.tif 000003
【図２】
2008062628.tif 000004
【図３】
2008062628.tif 000005
【図４】
2008062628.tif 000006
【図５】
2008062628.tif 000007
【図６】
2008062628.tif 000008
【図７】
2008062628.tif 000009
【図８】
2008062628.tif 000010
【図９】
2008062628.tif 000011
【図１０】
2008062628.tif 000012
【図１１】
2008062628.tif 000013
【図１２】
2008062628.tif 000014
【図１３】
2008062628.tif 000015
【図１４】
2008062628.tif 000016
【図１５】
2008062628.tif 000017
【図１６】
2008062628.tif 000018
【図１７】
2008062628.tif 000019
【図１８】
2008062628.tif 000020
【国際調査報告】
2008062628.tif 000021
2008062628.tif 000022
2008062628.tif 000023
2008062628.tif 000024